【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
他の装置から無線通信によりパケットを繰返し受信する受信部と、
前記受信部により受信されたパケットを記憶する記憶部と、
所定の情報処理を実行可能であるとともに、少なくとも第１モードと前記第１モードより電力消費の少ない第２モードとの間でモード遷移が可能な情報処理部と、
前記記憶部に記憶されたパケットの数およびパケットのデータ量の少なくとも一方が第１条件を満たした場合に、前記情報処理部を前記第２モードから前記第１モードにモード遷移させるモード管理部と、
前記情報処理部が前記第２モードから前記第１モードにモード遷移した場合に、前記記憶部に記憶されたパケットを読込む読込部とを備え、
前記情報処理部は、前記読込部によるパケットの読込みを含む所定の処理を実行すると、前記第１モードから前記第２モードにモード遷移する、情報処理装置。
【請求項２】
前記第１条件は、受信したパケットの数が所定の数を超えたことを少なくとも含む、請求項１に記載の情報処理装置。
【請求項３】
前記第１条件は、受信したパケットのデータ量が所定のデータ量を超えたことを少なくとも含む、請求項１または２に記載の情報処理装置。
【請求項４】
前記記憶部は、前記受信部により受信されたパケットのうち所定の第２条件を満たすものを記憶する、請求項１〜３のいずれか１項に記載の情報処理装置。
【請求項５】
前記第２条件は、前記受信部により受信されたパケットが所定のフォーマットに合致することを少なくとも含む、請求項４に記載の情報処理装置。
【請求項６】
前記第２条件の少なくとも一部は、前記受信部により先に受信されたパケットの識別情報に基づいて定められる、請求項４または５に記載の情報処理装置。
【請求項７】
前記識別情報は、前記受信部により受信されたパケットを構成するデータを代表する値、および、前記受信部により受信されたパケットを構成するデータの少なくとも一部、の少なくとも一方である、請求項６に記載の情報処理装置。
【請求項８】
前記受信部により受信されたパケットを構成するデータを代表する値は、当該パケットを構成するデータから算出されるハッシュ値である、請求項７に記載の情報処理装置。
【請求項９】
前記ハッシュ値は、対象のパケットの送信元において付加される、請求項８に記載の情報処理装置。
【請求項１０】
前記第２条件の少なくとも一部は、前記記憶部に記憶されたパケットであって、前記情報処理部により未だ読込まれていないパケットに基づいて定められる、請求項４〜９のいずれか１項に記載の情報処理装置。
【請求項１１】
前記第２条件の少なくとも一部は、前記情報処理部により決定される、請求項４〜１０のいずれか１項に記載の情報処理装置。
【請求項１２】
前記第２モードにおいて、前記受信部による受信と前記記憶部による記憶とが繰返し行なわれる、請求項１〜１１のいずれか１項に記載の情報処理装置。
【請求項１３】
前記読込部は、前記記憶部に記憶されたパケットを読込んだ後、前記記憶部から当該パケットを削除する、請求項１〜１２のいずれか１項に記載の情報処理装置。
【請求項１４】
前記受信部は、前記他の装置との間で接続を確立せずに、前記パケットを受信する、請求項１〜１３のいずれか１項に記載の情報処理装置。
【請求項１５】
前記他の装置との間でハンドシェークが実施されない、請求項１４に記載の情報処理装置。
【請求項１６】
前記受信部は、受信されたパケットに時間情報を付与する、請求項１〜１５のいずれか１項に記載の情報処理装置。
【請求項１７】
前記パケットは、ゲームアプリケーションに関するデータを含む、請求項１〜１５のいずれか１項に記載の情報処理装置。
【請求項１８】
前記情報処理装置には、少なくとも前記受信部を含む、前記情報処理部とは異なる無線処理部が配置されており、
前記情報処理部は、前記無線処理部のプロセッサより消費電力の高いプロセッサを含む、請求項１〜１７のいずれか１項に記載の情報処理装置。
【請求項１９】
前記情報処理部は、前記第２モードにおいても、前記無線処理部からのモード遷移を指示する信号を検知可能に構成される、請求項１８に記載の情報処理装置。
【請求項２０】
前記パケットを他の装置へ送信する送信部をさらに備える、請求項１〜１９のいずれか１項に記載の情報処理装置。
【請求項２１】
前記モード管理部は、前記受信部により受信されたパケットに前記第２モードへのモード遷移を指示するデータに応答して、前記記憶部に記憶されたパケットのデータ量に依存することなく、前記情報処理部を前記第２モードから前記第１モードにモード遷移させる、請求項１〜２０のいずれか１項に記載の情報処理装置。
【請求項２２】
他の装置から無線通信によりパケットを繰返し受信する受信部と、前記受信部により受信されたパケットを記憶する記憶部と、所定の情報処理を実行可能であるとともに、少なくとも第１モードと前記第１モードより電力消費の少ない第２モードとの間でモード遷移が可能な情報処理部とを備える情報処理装置における制御方法であって、
前記記憶部に記憶されたパケットの数およびパケットのデータ量の少なくとも一方が第１条件を満たした場合に、前記情報処理部を前記第２モードから前記第１モードにモード遷移させるステップと、
前記第２モードから前記第１モードに遷移した場合に、前記記憶部に記憶されたパケットの読込みを含む所定の処理を実行するステップと、
前記情報処理部が、前記所定の処理の実行後、前記第１モードから前記第２モードにモード遷移するステップとを備える、制御方法。
【請求項２３】
第１情報処理装置および第２情報処理装置を備える情報処理システムであって、
前記第１情報処理装置は、
前記第２情報処理装置から無線通信によりパケットを繰返し受信する受信部と、
前記受信部により受信されたパケットを記憶する記憶部と、
所定の情報処理を実行可能であるとともに、少なくとも第１モードと前記第１モードより電力消費の少ない第２モードとの間でモード遷移が可能な情報処理部と、
前記記憶部に記憶されたパケットの数およびパケットのデータ量の少なくとも一方が第１条件を満たした場合に、前記情報処理部を前記第２モードから前記第１モードにモード遷移させるモード管理部と、
前記情報処理部が前記第２モードから前記第１モードにモード遷移した場合に、前記記憶部に記憶されたパケットを読込む読込部とを備え、
前記情報処理部は、前記読込部によるパケットの読込みを含む所定の処理を実行すると、前記第１モードから前記第２モードにモード遷移する、情報処理システム。
【請求項２４】
情報処理装置で実行される制御プログラムであって、
前記情報処理装置は、
他の装置から無線通信によりパケットを繰返し受信する受信部を含む無線通信部と、
前記受信部により受信されたパケットを記憶する記憶部と、
所定の情報処理を実行可能であるとともに、少なくとも第１モードと前記第１モードより電力消費の少ない第２モードとの間でモード遷移が可能な情報処理部とを備え、
前記制御プログラムは、前記無線通信部に、前記記憶部に記憶されたパケットの数およびパケットのデータ量の少なくとも一方が第１条件を満たした場合に、前記情報処理部を前記第２モードから前記第１モードにモード遷移させるステップを実行させ、
前記情報処理部は、前記第２モードから前記第１モードに遷移した場合に、前記記憶部に記憶されたパケットの読込みを含む所定の処理を実行し、当該所定の処理の実行後、前記第１モードから前記第２モードにモード遷移する、制御プログラム。